(57)【要約】【課題】  この発明の課題は、製造に手間が掛からず、コストが安く、ファッショナブルな印象を与え、従来の紙バッグの代わりとしても用いることが出来るような、新規な構造を備えた物品等の収容ケースを提供することにある。【解決手段】  この発明は、前壁部と背壁部と、前壁部または背壁部の各々の下側部に設けられた折り込み部とから成り、この折り込み部が折り込まれると相対する前記壁部を突っ張り、前壁部と背壁部との間が折り込み部の幅だけ広がって自立出来るように成ると共に、この折り込み部が底部と成り、且つこの折り込み部の上方に菓子等の物品を収容する空間が生まれるように構成したものである。【選択図】図１
2013086876.tif 000002
【特許請求の範囲】
【請求項１】
両側部で繋げられた前壁部と背壁部と、前記前壁部または前記背壁部の下側部に設けられた折り込み部とから成り、この折り込み部が折り込まれると相対する前記壁部を突っ張り、前壁部と背壁部との間が折り込み部の幅だけ広がって自立出来るように成ると共に、この折り込み部が底部と成り、且つこの折り込み部の上方に菓子等の物品を収容する空間が形成されるように成した、物品等の収容ケース。
【請求項２】
前壁部とこの背面に両端部で取り付けられた背壁部と、前記前壁部または前記背壁部の下側部に設けられた折り込み部とから成り、この折り込み部が折り込まれると相対する前記壁部を突っ張り、前壁部と背壁部との間が折り込み部の幅だけ広がって自立出来るように成ると共に、この折り込み部が底部と成り、且つこの折り込み部の上方に菓子等の物品を収容する空間が形成されるように成した、物品等の収容ケース。
【請求項３】
前記前壁部または前記背壁部に手提げ部が設けられている、請求項１または請求項２に記載の物品等の収容ケース。
【請求項４】
菓子等の物品を収容する前記空間の上方の、前記前壁部または前記背壁部に、この収容ケースの全体を筒状にするためのスペーサーとしての折り込み部を設けて成る、請求項１または請求項２に記載の物品等の収容ケース。
【請求項５】
更に前記前壁部および前記背壁部の各々の上側部に折り込み部を備えており、この折り込み部が折り込まれると相対する前記壁部を突っ張り、前壁部と背壁部との間が折り込み部の幅だけ広がって全体が筒状に成るようにした、請求項１または請求項２に記載の物品等の収容ケース。
【請求項６】
更に前記前壁部および前記背壁部の各々の上側部に折り込み部を備えており、この折り込み部が折り込まれると相対する前記折り込み部を突っ張り、前壁部と背壁部との間がこれ等の折り込み部の幅だけ広がって全体が筒状に成るようにした、請求項１または請求項２に記載の物品等の収容ケース。
【請求項７】
前記前壁部または前記背壁部に窓を有する、請求項１または請求項２または請求項５または請求項６に記載の物品等の収容ケース。
【発明の詳細な説明】
【技術分野】
【０００１】  この発明は、従来の折箱や紙バッグの代わりとして用いることが出来る、製造が容易でコストが安い物品等の収容ケースに関する。
【背景技術】
【０００２】  従来よりデパートなどの販売店に於いて商品を購入した客に紙の買い物袋（紙バッグ）が提供されて来た。このものは袋体の両側部に各々谷折り線とその両側の山折り線とによって縦ガセット部が形成され、袋体の下側部に四方から山折りされ重ね合わされて底ガセット部が形成されたものである。なお袋体にラミネート紙を用いたり、袋体の外側に透明な合成樹脂袋を被せたものなどもある。【０００３】  特開２０１０−１０５２６６号では新聞紙を再利用すべく、見開き状の新聞紙を折り線と直交する方向に二つ折りしたもの二つ、各々の端部で差し込み接着することで、上記の袋体を形成するようにしている。これにより資源の有効利用の要請に応えることが出来ると言う。【０００４】  なお上記何れの場合でも、底ガセット部の重ね合わせを補強するために、袋体の底部に厚紙の補強紙片を置いていることが多い。
【先行技術文献】
【特許文献】
【０００５】
【特許文献１】特開２０１０−１０５２６６号公報
【発明の概要】
【発明が解決しようとする課題】
【０００６】  このような袋体の問題点は、裁断した紙葉から袋体を形成する際に、特に底ガセット部の形成に手間が掛かること、すでに在り来たりで目新しさに欠けることにある。なお従来より用いられて来た折箱にも時代遅れの感がある。【０００７】  そこでこの発明は、製造に手間が掛からず、コストが安く、ファッショナブルな印象を与え、従来の折箱や紙バッグの代わりとしても用いることが出来るような、新規な構造を備えた物品等の収容ケースを提供することを課題とする。
【課題を解決するための手段】
【０００８】  上記課題は、請求項１の発明によれば、両側部で繋げられた前壁部と背壁部と、前記前壁部または前記背壁部の下側部に設けられた折り込み部とから成り、この折り込み部が折り込まれると相対する前記壁部を突っ張り、前壁部と背壁部との間が折り込み部の幅だけ広がって自立出来るように成ると共に、この折り込み部が底部と成り、且つこの折り込み部の上方に菓子等の物品を収容する空間が形成されるように成した、物品等の収容ケースとすることによって解決される。このものは主として菓子等の物品を収容するための紙箱（折箱）として用いられるが、紙バッグの代わりとする構成も可能である。なお前記折り込み部を前壁部および前記背壁部に設けて各々の折り込み部を折り込んだ時に両者が重なり合うように構成しても良い。後述の実施例では、折り込み部が前壁部および前記背壁部の各々に設けられている場合を説明する。【０００９】  前壁部と背壁部とが両側部で繋げられていると言う場合、前壁部と背壁部とが別体でありそれ等が重合されて両側部で接着や薄いシート状体などによる蝶番止めが為されているもの、２つ折りにより前壁部と背壁部とが形成され両端部が接着されているもの、円筒を平らに潰して両側の折り目から前壁部と背壁部とが形成されているもの等を上げることが出来る。前壁部や背壁部の素材は任意であり、厚紙、合成樹脂シート、皮革などを必要に応じて選択したり混用することが可能である。またこれ等の表面にステッカーを貼ったり美麗な写真印刷などを施すことが出来る。また前壁部や背壁部の一部分を切り欠いて窓を形成しても良い。【００１０】  紙製の円筒などでは両側から均一に圧力が加えられると平面状に潰れることが知られている。この加圧方向とは直角の両側部方向からの圧力によって元の円筒に近い形状に復元させることが出来る。この原理を応用して、前記平面状のものの下端部を外側に突出する円弧状に成形し、この円弧状の突出片をやはり円弧状の山折り線を付けるようにして内側へ折り込むことによって全体を脹らませることが出来る。なお上記円弧状の突出片を直線状の山折り線を付けて内側へ折り込み、この折り込んだ突出片を円弧状の谷折り線で折り返すことによっても全体を脹らませることが出来るが、この場合には直線状の山折り線と円弧状の谷折り線との間の形成される部位が上記平面状のものに密着するため、構造的にはよりしっかりしたものと成る。上記円弧状の谷折り線より先の突出片の部位が相対する上記平面状のものを突っ張る。【００１１】  前壁部と背壁部との間隔が、前記折り込み部の分だけ開いて結果的に膨らみ、立体化して自立可能な状態と成る。この膨らみが円に近くなるほど剛性が大きくなるわけである。この自立可能な状態を詳しく見ると、チュパック（商標）などのように円筒の端部を折り込むと湾曲してしまうが、この発明の物品等の収容ケースでは湾曲させずに直線状に平に形成し得るから、自立可能としたい場合に要求に応えることが容易である。なお前記折り込み部の折り目と成る部位をミシン目として構成することが出来る。【００１２】  前記折り込み部が前記壁部を押すと、前壁部と背壁部との間隔がこの折り込み部の分だけ開いて膨らみここに空間が形成される。また折り込��部が壁部を突っ張っているため、ここを棚とすることが出来る。すると折り込み部とこの上の空間はほぼ同じような大きさの物品を収納することが出来る。ここにこの発明の最大の特長がある。こうして収納された物品は、この状態で展示したり販売することが可能である。目新しく人目を惹き付けるものとなっている。また購入後も物品の消費後も、思い出などとして卓上に飾り続けることが出来る。なおこの物品の収容ケースは上下に細長く形成することも太く低く形成することも可能である。【００１３】  さて、前壁部とこの背面に両端部で取り付けられた背壁部とから成ると言う場合、前記取り付け部分は例えばのりしろ部であったり掛合部であったり任意の設計が可能である。例えばのりしろ部の場合であるが、のりしろ部が前壁部と背壁部の両方に設けられており各々内側に折り込まれた状態で接着されるようになるため、厚紙の切断端部が見えることなく折り込みのアール形状が重なった状態で表われており、内側に折り込まれたのりしろ部同士が接着されているために、のりしろ部が表面に出てしまうようなことがなく、全体として実に体裁の良い構造物であると言うことが出来る。また例えば前記接合部が掛合部である場合では、前壁部と背壁部の掛合部同士が内側に折り込まれた状態で掛合されて、上記同様の作用を現ずる。なおこの物品の収容ケースは上下に細長く形成することも太く低く形成することも可能である。【００１４】  なおこの発明の物品の収容ケースでは、前壁部または背壁部の下側部に折り込み部が設けられているために、物品の収容ケースは下方が広く上方が細く成る傾向がある。上方部に関してはスペーサとしての折り込み部を備えないようにすることにより、前壁部と背壁部との間隔が開かず立体化されず前壁部や背壁部が比較的に平面状に近い状態を保っていると、この平面状の部位は写真印刷を施したりするのにより適していると言うことが出来る。なお上縁部の細く成った部位は、シールやクリップなどで簡単に閉じることが可能である。【００１５】  次に、前記前壁部または前記背壁部に手提げ部が設けられているものとすることが出来る。手提げ部の一例として前壁部と背壁部の同じ位置に設けた開口部を上げる。殊に上縁部の細く成った部位に設けられた開口部は手で握りやすい。これによりこの開口部を手で持って提げることが出来る。この他、手提げ紐を付けるなど任意設計が可能である。【００１６】  次に、菓子等の物品を収容する前記空間の上方の、前記前壁部または前記背壁部に、この収容ケースの全体を筒状にするためのスペーサーとしての折り込み部を設けて成るものとすることが出来る。上方すなわち天部あるいは中間部分に関してはスペーサとして設けることによって、物品の収容ケースの全体を筒状と為すことが可能である。前壁部と背壁部との間をどのくらい脹らますかは折り込み部の構成如何である。この構成の場合も折り込み部が壁部を突っ張って、前壁部と背壁部との間隔がこの折り込み部の分だけ開き膨らみここに空間が形成されると共に、折り込み部が棚の役割を担うことが出来るから、ここが物品の収納場所となるのである。なお設ける折り込み部の数は任意である。【００１７】  次に、更に前記前壁部および前記背壁部の各���の上側部に折り込み部を備えることで、この折り込み部が折り込まれると相対する前記壁部を突っ張り、前壁部と背壁部との間が折り込み部の幅だけ広がって、全体が筒状の物品の収容ケースと成すことが出来る。すなわち前記前壁部および前記背壁部の各々の下側部に設けられた折り込み部の構成を、上側部にも適用することで、全体を筒状に形成することが出来るのである。なお下側部の折り込み部と上側部の折り込み部とは、突っ張りの距離を同じにすることも異なるようにすることも可能である。【００１８】  次に、更に前記前壁部および前記背壁部の各々の上側部に折り込み部を備えており、この折り込み部が折り込まれると相対する前記折り込み部を突っ張り、前壁部と背壁部との間がこれ等の折り込み部の幅だけ広がって、全体が筒状の物品の収容ケースと成すことが出来る。前壁部側の折り込み部と背壁部側の折り込み部とが突っ張り合うことで、実質的に双方の折り込み部が相対する前記壁部を突っ張り、前壁部と背壁部との間を双方の折り込み部の幅だけ広げるように作用する。【００１９】  双方の折り込み部を突っ張らせる構成例としては、各々の折り込み部の先端部に各々が属する前記壁部に向けて１０ミリメートル程度の切り込み部を設け、双方の折り込み部を突き合わせる際にこの切り込み部で差し込み合うようにしたものを上げる。この差し込み合いは容易に開放されるから、双方の折り込み部をこの収容ケースの蓋部として利用することが可能である。また他の構成例として、各々の折り込み部の先端部に直線状の山折り線または谷折り線を設け直角に折って立ち上げ部と成せば、双方の立ち上げ部同士を突っ張らせて、前壁部と背壁部との間を双方の折り込み部の幅だけ広げ得るようにしたものを上げる。【００２０】  次に、請求項１または請求項２または請求項５または請求項６の物品等の収容ケースに関して前記前壁部または前記背壁部に窓を有するものとすることが出来る。この窓を以て内部に収容した物品を外から見ることが可能になる。【００２１】  なお更に菓子等の物品を詰めるための袋を備えているものとしても良い。菓子等の物品が詰められたこの袋を前記壁部に開いた窓から見ることが可能である。袋が透明であればこの袋に詰められた物品を透視することが出来る。
【発明の効果】
【００２２】  この発明は、前壁部と背壁部と、前壁部または背壁部の各々の下側部に設けられた折り込み部とから成り、この折り込み部が折り込まれると相対する前記壁部を突っ張り、前壁部と背壁部との間が折り込み部の幅だけ広がって自立出来るように成ると共に、この折り込み部が底部と成り、且つこの折り込み部の上方に菓子等の物品を収容する空間が形成されるように成したものである。これにより従来の折箱や紙バッグなどと比較して、製造に手間が掛からず、コストが安く、ファッショナブルな印象を与えることが出来る、と言う優れた効果を奏するものとなっている。
【図面の簡単な説明】
【００２３】
【図１】  実施例１を組み立てた状態を表す説明図である。
【図２】  折り込み部１４、１８の説明図である。
【図３】  展開図で表した説明図である。
【図４】  実施例２を展開図で表した説明図である。
【図５】  実施例３を組み立てた状態を表す説明図である。
【図６】  実施例４を展開図で表した説明図である。
【図７】  実施例５の折り込み部５３、５５の説明図である。
【図８】  実施例６を底面側から見た説明図である。
【発明を実施するための形態】
【００２４】  以下６つの実施例を図面に基づいて説明するが、この発明はこれ等の実施例にのみ限定されるものではない。
【実施例１】
【００２５】  図１乃至図３でこの実施例の菓子ケース１を表す。型抜きした厚紙を折り返し部１０３で折り返して前壁１０と後壁１５とに分け、前壁１０の上記折り返し部１０３とは反対側にあるのりしろ片１１を以て、後壁１５の上記折り返し部１０３とは反対側の縁部に接着すると、筒を形成する準備が整う。前壁１０には下側の直線状の山折り線１２と円弧状の谷折り線１３とで区切られた部位が設けられており、谷折り線１３より先にほぼ楕円状の折り返し部１４が形成されており、また山折り線１２と谷折り線１３とで区切られた部位は補強片１０１となっている。同様に後壁１５には下側の直線状の山折り線１６と円弧状の谷折り線１７とで区切られた部位が設けられており、谷折り線１７より先にほぼ楕円状の折り返し部１８が形成されており、山折り線１６と谷折り線１７とで区切られた部位は補強片１０２となっている。なお前壁１０の上縁部１９および後壁１５の上縁部１００は折り返し部１４，１８の曲線に似た形状とされている。【００２６】  そこで山折り線１２で折ると共に谷折り線１３で折ると、折り返し部１４が後壁１５に突っ張って前壁１０と後壁１５との間を拡げ、この部位は筒状で、これより上方は窄まったような形を作り出すことが出来る。この際に補強片１０１は湾曲して前壁１０に寄り付きこの部位の前壁１０を補強すると共に底部となった折り返し部１４を上げ底する。続けて山折り線１６から折ると共に谷折り線１７から折ると、折り返し部１８が上記折り返し部１４の下側に寄り付いて折り返し部１４を補強する。このようにして下側が広がり上側が窄まった形の菓子ケース１が得られる。菓子は上縁部１９，１００で構成された開口部から出し入れされることになる。なお必要に応じて上縁部１９，１００を粘着性のシールＳなどで閉じるようにすれば良い。【００２７】  上記折り返し部１４，１８が内側に折り込まれると、前壁１０と後壁１５との間が折り返し部１４，１８の幅だけ広がって自立出来るようになると同時にこの折り返し部１４，１８の上方に菓子を詰めた包装などを収容するための空間が形成される。この折り返し部１４，１８は底部ではあるがある意味棚の役割を担うものであり、ここが菓子の収納場所となる。なお前壁１０と後壁１５とに美麗な印刷を施すことでディスプレーや置物としての価値が高まる。
【実施例２】
【００２８】  図４で表したこの実施例の菓子ケース２は、上述した実施例１の菓子ケース１に於ける１本の折り返し部１０３が山折り線１２，１６にほぼ直角に設けられていたのに対して、２本の山折り線２１１，２１２と前壁２１の下側の直線状の山折り線２８および後壁２５の下側の直線状の山折り線２０３との間に三角形状の側壁２７が形成されるように設けられている点に特徴を有する。この側壁２７に対応して、前壁２１には斜めの山折り線２０による側壁２２が、後壁２５には斜めの山折り線２４による側壁２６が設けられている。また側壁２２はのりしろ片２３を有する。【００２９】  また補強片２０２，２０７との間に、各々円弧状の谷折り線２９，２０４を有する折り返し部２００，２０５の両側に、各々折り込み片２０１，２０６が設けられている。なお折り返し部２０５には摘み２０８が、そして前壁２１および後壁２５の上縁部近くが開孔されて各々手提げ部２０９，２１０と成されている。【００３０】  このように構成した菓子ケース２を上述した実施例１の菓子ケース１と同様に組み立てると、前壁２１および後壁２５の両側に側壁２７とこれの同形の側壁２２，２６が形作られる。また折り込み片２０１，２０６は底部である所の折り返し部２００，２０５の両側に生ずる隙間を塞ぐことが出来る。なお菓子ケース２の組み立てに際しては、折り返し部２００側を先に、折り返し部２０５側を後から折り込んで下側を拡げるようにする。すると折り返し部２０５側の摘み２０８はこの菓子ケース２を分解する際の端緒となる。また手提げ部２０９，２１０によってこの菓子ケース２を提げることが可能となる。
【実施例３】
【００３１】  図５で表したこの実施例の菓子ケース３には次のような特徴がある。すなわち上述した実施例１を組み立てた場合には下側が広がり上側が窄まった形の菓子ケース１が得られたが、この菓子ケース３では上下方向に筒状になる点が特徴である。これには後述する折り込み片３８の存在が重要と成る。なおこの菓子ケース３の下部には内部を見ることの出来る窓３９が設けられている。また上縁部３４，３５の内の上縁部３４はデザイン化された切り口形状を呈している。【００３２】  この実施例の菓子ケース３の基本的な構成は上述した実施例１の菓子ケース１の構成に倣うが、前壁３０および後壁３１と、底部と成る折り返し部３２，３３とにより形成される菓子等の物品を収容する空間の上方の前壁３０側に、この菓子ケース３の全体を筒状にするためのスペーサーとしての折り込み片３８が、湾曲した折り返し線３７と、その両端部から始まって上方を囲う切り込み３６とにより形成されている。なお折り返し部３２，３３の直ぐ上となる位置の前壁３０の側に窓３９が切欠されている。この窓３９は切欠したままでも良いが、透明なフィルムを貼るようにしても良い。折り返し部３２，３３の上に載置した包装袋Ｐをこの窓３９を通して見ることが出来る。【００３３】  なお上記上縁部３４はデザイン化された切り口形状を呈してはいるが、この菓子ケース３の両縁部より外側に突出したデザインとすることは出来ない。これを可能にしたいのであれば、後述する実施例５の菓子ケース５のように、前壁５０と後壁５２とを別体に切り抜くようにすれば良い。この場合ののりしろ片は前壁５０と後壁５２との各々が備えるようにしても、どちらか一方が全て備えるようにしても良い。またのりしろ片ではない接続手段を用いて良いのは言うまでもない。このようにこの発明の収容ケースの上側が両縁部より外側に突出したデザインとすることが出来れば、例えば野菜のブロッコリー、動物の鬣ライオン、頭部の大きな人形等々、興趣の尽きない具象形状の収容ケースを提供することが出来るようになる。
【実施例４】
【００３４】  図６で表したこの実施例の菓子ケース４が、上述した実施例１の菓子ケース１と異なる点は、前壁４０および後壁４５の上側にも下側に設けたものと同じ折り返し部４４，４８が設けられている点にある。これにより菓子ケース４が上下方向に同じ太さの筒状を呈するようになり、この結果この菓子ケース４には上下の区別がなくなる。さらには横置きや縦置きの区別もなくなる。この菓子ケース４の前壁４０と後壁４５とによって構成される周壁に平板な部位を作れば、横置きで自立させることが可能である。また例えば前壁４０と後壁４５との間の折り返し部４０１に沿って持ち手を切欠したり、前壁４０と後壁４５とに提げ紐を付属させるような構成も可能である。【００３５】  型抜きされた厚紙を折り返し部４０１で折り返して前壁４０と後壁４５とに分け、前壁４０の上記折り返し部４０１とは反対側にあるのりしろ片４１を以て後壁４５の折り返し部４０１とは反対側の縁部に接着する。次に前壁４０には下側および上側共に直線状の山折り線４２と円弧状の谷折り線４３とで区切られた部位が設けられており、谷折り線４３より先にほぼ楕円状の折り返し部４４が形成されており、山折り線４２と谷折り線４３とで区切られた部位は補強片４９となっている。同様に後壁４５にも、下側および上側共に下側の直線状の山折り線４６と円弧状の谷折り線４７とで区切られた部位が設けられており、谷折り線４７より先にほぼ楕円状の折り返し部４８が形成されており、山折り線４６と谷折り線４７とで区切られた部位は補強片４００となっている。【００３６】  こうして折り返し部４４を折り込むことにより、前壁４０および後壁４５の上側に於いても折り返し部４４が後壁４５に突っ張って、前壁４０と後壁４５との間を拡げる作用を現す。
【実施例５】
【００３７】  図７で表したこの実施例の菓子ケース５は、上述した実施例４の菓子ケース４の上側に設けた折り返し部４４，４８の代わりに独特の構成を有する折り返し部５３，５５を備えている。すなわち厚紙を型抜きして、片側にのりしろ片５１を有する前壁５０と、片側にのりしろ片５７を有する後壁５２とを用意する。前壁５０と後壁５２とは同一形状のものであり、のりしろ片５１，５７で折り返して用いる。これは前壁５０をのりしろ片５１で後壁５２ののりしろ片５７のない側の縁部にのりしろ片５１が内側と成るようにして接着され、後壁５２をのりしろ片５７で前壁５０ののりしろ片５１のない側の縁部にのりしろ片５７が内側と成るようにして接着される。そして下側の折り返し部は上述の菓子ケース４と同じようにして作られている。さらに前壁５０および後壁５２の上縁部に延設された各々の折り返し部５３，５５にはその中央部に、折り返し部５３には切り込み部５４が、折り返し部５５には切り込み部５６がそれぞれ設けられており、折り返し部５３，５５を内側に折り込んだ際にこれ等の切り込み部５４，５６を差し込み合わせ得るように構成されている。【００３８】  従って上記切り込み部５４，５６で差し込み合わせることによって、折り返し部５３，５５が互いに突き合い、この部位の前壁５０および後壁５２を膨らませることが出来る。この切り込み部５４，５６の差し込み合わせは容易に解消し得るから、折り返し部５３，５５をこの菓子ケース５の開閉蓋とすることが可能である。
【実施例６】
【００３９】  図８で表したこの実施例の菓子ケース６は、前壁６０と後壁６２とが、前壁６０の両側に設けられたのりしろ片６１，６１と後壁６２の両側に設けられたのりしろ片６３，６３とを合わせるようにして接着することで、筒状体とすることを可能にしている。【００４０】  前壁６０とこの背面に両端部で取り付けられた後壁６２とに付いて、これ等の下側部に設けられた折り込み部の構成は上述した実施例１の菓子ケース１の底部の構成に倣うが、上側に付いては、前壁６０の側に上縁部に延設された折り返し部６４を山折り部および谷折り部にて折り込むようにして蓋部を構成する。この折り返し部６４の縁部にはさらに谷折りで形成されるフラップ６５が設けられている。このフラップ６５は上述した補強片のように湾曲して後壁６２の上縁部に寄り付く。このフラップ６５は上述した摘み２０８のようにも使用可能である。【００４１】  なおこの発明の素材としては、厚紙や合成樹脂フィルム以外にも、例えば薄い人造皮革など任意のものが使用可能である。また収容ケース全体の大きさや形状は任意である。
【産業上の利用可能性】
【００４２】  この発明の収容ケースはこれ単体で提供しても良いし中にぬいぐるみなどの商品を入れて提供しても良い。またこの収容ケースの用途は上述した実施例の菓子ケースに限られない。例えばタオルなどの衣料品、石鹸などの化粧品、ペットフードの缶詰など幅広い用途に自由に利用し得る。なおディスプレーとしては内部にＬＥＤライトを装置して収容した物品をライトアップさせることが可能である。
【符号の説明】
【００４３】  １      菓子ケース        １０    前壁            １１    のりしろ片
１２    山折り線          １３    谷折り線        １４    折り返し部
１５    後壁              １６    山折り線        １７    谷折り線
１８    折り返し部        １９    上縁部          １００  上縁部
１０１  補強片            １０２  補強片          １０３  折り返し部
２      菓子ケース        ２０    山折り線        ２１    前壁
２２    側壁              ２３    のりしろ片      ２４    山折り線
２５    前壁              ２６    側壁            ２７    側壁
２８    山折り線          ２９    谷折り線        ２００  折り返し部
２０１  折り込み片        ２０２  補強片          ２０３  山折り線
２０４  谷折り線          ２０５  折り返し部      ２０６  折り込み片
２０７  補強片            ２０８  摘み            ２０９  手提げ部
２１０  手提げ部          ２１１  山折り線        ２１２  山折り線
３      菓子ケース        ３０    前壁            ３１    後壁
３２    折り返し部        ３３    折り返し部      ３４    上縁部
３５    上縁部            ３６    切り込み        ３７    折り返し線
３８    折り込み片        ３９    窓              ４      菓子ケース
４０    前壁              ４１    のりしろ片      ４２    山折り線
４３    谷折り線          ４４    折り返し部      ４５    後壁
４６    山折り線          ４７    谷折り線        ４８    折り返し部
４９    補強片            ４００  補強片          ４０１  折り返し部
５      菓子ケース        ５０    前壁            ５１    のりしろ片
５２    後壁              ５３    折り返し部      ５４    切り込み部
５５    折り返し部        ５６    切り込み部      ５７    のりしろ片
６      菓子ケース        ６０    前壁            ６１    のりしろ片
６２    後壁              ６３    のりしろ片      ６４    折り返し部
６５    フラップ          Ｓ      シール          Ｐ      包装袋
【図１】
2013086876.tif 000003
【図２】
2013086876.tif 000004
【図３】
2013086876.tif 000005
【図４】
2013086876.tif 000006
【図５】
2013086876.tif 000007
【図６】
2013086876.tif 000008
【図７】
2013086876.tif 000009
【図８】
2013086876.tif 000010